(57)【要約】【課題】複数の廃棄物収集運搬業者に対して、効率的な収集を支援する技術を提供する。【解決手段】複数の廃棄物収集運搬業者に関連付けられた、廃棄物収集運搬車両３０１毎の収集運搬開始地点の収集開始位置情報及び収集運搬終了地点の収集終了位置情報を取得し、収集する廃棄物の廃棄物位置情報、前記収集する廃棄物の重量情報、及び前記収集する廃棄物の取扱金額情報、及び地図情報に基づいて、収集運搬時に個々の廃棄物収集運搬車両３０１の移動距離が最短となるように、廃棄物収集支援装置１００が収集運搬経路を決定する。【選択図】  図１
2004299903.tif 000002
【特許請求の範囲】
【請求項１】
廃棄物収集作業を支援する方法であって、
廃棄物を収集し運搬する複数の廃棄物収集運搬業者に関連付けられた、廃棄物収集運搬車両毎の収集運搬開始地点の収集開始位置情報及び収集運搬終了地点の収集終了位置情報を取得するステップと、
収集する廃棄物の廃棄物位置情報、前記収集する廃棄物の重量情報、及び前記収集する廃棄物の取扱金額情報を取得する、廃棄物情報取得ステップと、
前記収集開始位置情報、前記収集終了位置情報、前記廃棄物位置情報、前記重量情報、前記取扱金額情報、及び地図情報に基づいて、収集運搬時に個々の廃棄物収集運搬車両の移動距離が最短となるように収集運搬経路を決定する経路決定ステップとを備える廃棄物収集支援方法。
【請求項２】
前記経路決定ステップでは、
個々の廃棄物収集運搬車両が収集する廃棄物の総重量が、予め定められた値となるように当該廃棄物の収集運搬経路を決定する、請求項１に記載の廃棄物収集支援方法。
【請求項３】
前記経路決定ステップでは、
個々の廃棄物収集運搬車両が収集する廃棄物の総取扱金額が、予め定められた値となるように当該廃棄物の収集運搬経路を決定する、請求項１または２に記載の廃棄物収集支援方法。
【請求項４】
前記廃棄物情報取得ステップでは、
個々の廃棄物収集運搬車両が収集する廃棄物の種別情報を取得し、
前記経路決定ステップでは、
前記廃棄物の種別情報に応じて、当該廃棄物の収集運搬経路を決定する、請求項１から３の何れかに記載の廃棄物収集支援方法。
【請求項５】
前記決定した当該廃棄物の収集運搬経路を、廃棄物収集運搬車両ないし廃棄物収集運搬業者に備えられる端末に出力するステップをさらに備える、請求項１から４の何れかに記載の廃棄物収集支援方法。
【請求項６】
廃棄物収集作業を支援するプログラムであって、
廃棄物を収集し運搬する複数の廃棄物収集運搬業者に関連付けられた、廃棄物収集運搬車両毎の収集運搬開始地点の収集開始位置情報及び収集運搬終了地点の収集終了位置情報を取得するステップと、
収集する廃棄物の廃棄物位置情報、前記収集する廃棄物の重量情報、及び前記収集する廃棄物の取扱金額情報を取得する、廃棄物情報取得ステップと、
前記収集開始位置情報、前記収集終了位置情報、前記廃棄物位置情報、前記重量情報、前記取扱金額情報、及び地図情報に基づいて、収集運搬時に個々の廃棄物収集運搬車両の移動距離が最短となるように収集運搬経路を決定する経路決定ステップとを備えるコンピュータで実行可能な廃棄物収集支援プログラム。
【請求項７】
前記経路決定ステップでは、
個々の廃棄物収集運搬車両が収集する廃棄物の総重量が、予め定められた値となるように当該廃棄物の収集運搬経路を決定する、請求項６に記載の廃棄物収集支援プログラム。
【請求項８】
前記経路決定ステップでは、
個々の廃棄物収集運搬車両が収集する廃棄物の総取扱金額が、予め定められた値となるように当該廃棄物の収集運搬経路を決定する、請求項６または７に記載の廃棄物収集支援プログラム。
【請求項９】
前記廃棄物情報取得ステップでは、
個々の廃棄物収集運搬車両が収集する廃棄物の種別情報を取得し、
前記経路決定ステップでは、
前記廃棄物の種別情報に応じて、当該廃棄物の収集運搬経路を決定する、請求項６から８の何れかに記載の廃棄物収集支援プログラム。
【請求項１０】
前記決定した当該廃棄物の収集運搬経路を、廃棄物収集運搬車両ないし廃棄物収集運搬業者に備えられる端末に出力するステップをさらに備える、請求項６から９の何れかに記載の廃棄物収集支援プログラム。
【請求項１１】
廃棄物収集作業を支援する装置であって、
廃棄物を収集し運搬する複数の廃棄物収集運搬業者に関連付けられた、廃棄物収集運搬車両毎の収集運搬開始地点の収集開始位置情報及び収集運搬終了地点の収集終了位置情報を取得する手段と、
収集する廃棄物の廃棄物位置情報、前記収集する廃棄物の重量情報、及び前記収集する廃棄物の取扱金額情報を取得する、廃棄物情報取得手段と、
前記収集開始位置情報、前記収集終了位置情報、前記廃棄物位置情報、前記重量情報、前記取扱金額情報、及び地図情報に基づいて、収集運搬時に個々の廃棄物収集運搬車両の移動距離が最短となるように収集運搬経路を決定する経路決定手段とを有する廃棄物収集支援装置。
【請求項１２】
前記経路決定手段では、
個々の廃棄物収集運搬車両が収集する廃棄物の総重量が、予め定められた値となるように当該廃棄物の収集運搬経路を決定する、請求項１１に記載の廃棄物収集支援装置。
【請求項１３】
前記経路決定手段では、
個々の廃棄物収集運搬車両が収集する廃棄物の総取扱金額が、予め定められた値となるように当該廃棄物の収集運搬経路を決定する、請求項１１または１２に記載の廃棄物収集支援装置。
【請求項１４】
前記廃棄物情報取得手段では、
個々の廃棄物収集運搬車両が収集する廃棄物の種別情報を取得し、
前記経路決定手段では、
前記廃棄物の種別情報に応じて、当該廃棄物の収集運搬経路を決定する、請求項１１から１３の何れかに記載の廃棄物収集支援装置。
【請求項１５】
前記決定した当該廃棄物の収集運搬経路を、廃棄物収集運搬車両ないし廃棄物収集運搬業者に備えられる端末に出力する手段をさらに有する、請求項１１から１４の何れかに記載の廃棄物収集支援装置。
【発明の詳細な説明】
【０００１】
【発明の属する技術分野】
本発明は、廃棄物収集時の支援技術に関する。
【０００２】
【従来の技術】
一般に、建築作業現場等では、建築作業等を行った事業者によって、コンクリートがら、或いは木材等の様々な廃棄物が排出される。このような場合、排出事業者は、廃棄物収集運搬業者に排出した廃棄物の収集及び運搬を委託する。
【０００３】
ところで、従来の廃棄物収集運搬は、以下のようにして行われていた。まず、各廃棄物収集運搬業者は、排出事業者から受け付けた、廃棄物の種類、或いは受入量等の廃棄物情報や地図情報等を参照して、廃棄物収集運搬経路を決定して回収していた。
【０００４】
なお、廃棄物処理に関する技術として、最終処分場に処分委託するにあたってのマニフェストデータの紐付け作業を適正かつ効率良く行う技術が開示されている（例えば、特許文献１参照）。
【０００５】
【特許文献１】
特開２００３−１２１０８号公報
【０００６】
【発明が解決しようとする課題】
しかしながら、従来の廃棄物収集技術では、廃棄物が廃棄物収集運搬業者によって処理される際に、複数の業者の走行ルート効率化や配送先の集約化を調整管理することは鑑みられていなかった。
【０００７】
例えば、ＧＰＳやナビゲーションシステムの進歩により、個々の車両の配送効率を上げるために、廃棄物収集時の最適ルートを検索する技術は発達してきた。
【０００８】
しかしながら、収集運搬の対象となる廃棄物が複数の収集運搬業者によって収集される場合には、排出された廃棄物の位置関係に応じて収集運搬経路を効率化するだけでなく、廃棄物の取扱量、或いは取扱金額に応じて、複数の廃棄物収集運搬業者間の調整を図る必要があった。
【０００９】
本発明は上記事項に鑑みて為されたものであり、複数の廃棄物収集運搬業者に対して、効率的な収集を支援する技術を提供することを、解決すべき課題とする。
【００１０】
【課題を解決するための手段】
本発明は前記課題を解決するために、以下の手段を採用した。
【００１１】
すなわち、本発明は、廃棄物を収集し運搬する複数の廃棄物収集運搬業者に関連付けられた、廃棄物収集運搬車両毎の収集運搬開始地点の収集開始位置情報及び収集運搬終了地点の収集終了位置情報を取得し、収集する廃棄物の廃棄物位置情報、前記収集する廃棄物の重量情報、及び前記収集する廃棄物の取扱金額情報を取得し、前記収集開始位置情報、前記収集終了位置情報、前記廃棄物位置情報、前記重量情報、前記取扱金額情報、及び地図情報に基づいて、収集運搬時に個々の廃棄物収集運搬車両の移動距離が最短となるように収集運搬経路を決定するようにした。
【００１２】
従って、本発明によれば、複数の廃棄物収集運搬業者が、効率的に廃棄物を収集する経路を容易且つ正確に決定することができる。
【００１３】
また、本発明は、個々の廃棄物収集運搬車両が収集する廃棄物の総重量が、予め定められた値となるように当該廃棄物の収集運搬経路を決定してもよい。
【００１４】
従って、本発明によれば、複数の廃棄物収集運搬業者において、個々の廃棄物収集運搬車両が収集する廃棄物の総重量を考慮して、効率的に廃棄物を収集する経路を容易且つ正確に決定することができる。
【００１５】
そして、本発明は、個々の廃棄物収集運搬車両が収集する廃棄物の総取扱金額が、予め定められた値となるように当該廃棄物の収集運搬経路を決定してもよい。
【００１６】
従って、本発明によれば、複数の廃棄物収集運搬業者において、個々の廃棄物収集運搬車両が収集する廃棄物の総取扱金額を考慮して、効率的に廃棄物を収集する経路を容易且つ正確に決定することができる。
【００１７】
また、本発明は、個々の廃棄物収集運搬車両が収集する廃棄物の種別情報を取得し、前記廃棄物の種別情報に応じて、当該廃棄物の収集運搬経路を決定してもよい。
【００１８】
従って、本発明によれば、複数の廃棄物収集運搬業者において、個々の廃棄物収集運搬車両が収集する廃棄物の種別を考慮して、効率的に廃棄物を収集する経路を容易且つ正確に決定することができる。
【００１９】
さらに、本発明は、前記決定した当該廃棄物の収集運搬経路を、廃棄物収集運搬車両ないし廃棄物収集運搬業者に備えられる端末に出力してもよい。
【００２０】
従って、本発明によれば、前記決定した当該廃棄物の収集運搬経路に基づいて収集運搬業者が廃棄物の収集運搬を行うことができる。
【００２１】
また、本発明は、以上の何れかの機能を実現させるプログラムであってもよい。また、本発明は、そのようなプログラムをコンピュータが読み取り可能な記憶媒体に記録してもよい。
【００２２】
さらに、本発明は、以上の何れかの機能を実現する装置であってもよい。
【００２３】
【発明の実施の形態】
以下、図面を参照して、本発明の好適な実施の形態を説明する。
【００２４】
〈システム構成〉
本発明の廃棄物収集支援方法の一実施の形態に係る廃棄物収集支援装置が実現するシステムを、図１に基づいて説明する。本実施の形態では、本発明の廃棄物収集支援方法を実現するために、サーバ装置、或いはコンピュータ等の情報処理装置に廃棄物収集支援プログラムを導入（インストール）する。そして、本実施の形態では、このような情報処理装置を廃棄物収集支援装置とする。
【００２５】
この廃棄物収集支援装置は、排出事業者側に備えられた、画像取得機能及びＧＰＳ（Ｇｌｏｂａｌ  Ｐｏｓｉｔｉｏｎｉｎｇ  Ｓｙｓｔｅｍ）機能を有する携帯電話或いは携帯情報端末等の排出事業者端末と、汎用のネットワークを介して接続する。また、廃棄物収集支援装置は、廃棄物収集運搬業者側で用いる、画像取得機能及びＧＰＳ機能を有する携帯電話或いは携帯情報端末等の廃棄物収集運搬業者端末と、上記の汎用のネットワークを介して接続する。
【００２６】
そして、廃棄物収集支援装置は、上記の排出事業者端末及び廃棄物収集運搬業者端末に接続することで、システムを構築して廃棄物収集運搬経路決定処理を行う。
【００２７】
図１は、本発明の一実施の形態に係る、ネットワークの構築例を示す。図１において、符号１００は、廃棄物収集支援装置である。また、符号２００は、排出事業者端末である。符号３００は、廃棄物収集運搬車両３０１に備えられる廃棄物収集運搬業者端末である。そして、符号４００は、インターネット等の汎用のネットワークである。
【００２８】
廃棄物収集運搬業者端末３００は、上述のように、画像取得機能及びＧＰＳ機能を有する携帯電話或いは携帯情報端末等の通信端末である。また、廃棄物収集運搬業者端末３００は、上記の画像取得機能及びＧＰＳ機能を有する装置と、通信端末とを組み合わせた端末であってもよい。さらに、廃棄物収集運搬業者端末３００は、本実施の形態では、ＧＰＳ機能と携帯電話等の無線通信機能を有するカーナビゲーションシステムであってもよい。
【００２９】
廃棄物収集運搬業者端末３００は、廃棄物の発生場所における画像情報、当該廃棄物の数量や種別に係わる廃棄物情報、及び排出時における廃棄物の位置情報を取得する。そして、廃棄物収集運搬業者端末３００は、ネットワーク４００上の廃棄物収集支援装置１００のデータベースから、上記の廃棄物収集運搬経路情報を受信する。
【００３０】
排出事業者端末２００は、上述のように、画像取得機能及びＧＰＳ機能を有する携帯電話或いは携帯情報端末等の通信端末である。また、廃棄物収集運搬業者端末３００は、上記の画像取得機能及びＧＰＳ機能を有する装置と、通信端末とを組み合わせた端末であってもよい。この排出事業者端末２００は、排出事業者が排出した廃棄物の収集指示情報、廃棄物情報、及び廃棄物の位置情報を、廃棄物収集運搬業者に通知するための端末である。
【００３１】
〈装置構成〉
次に、本廃棄物収集支援装置１００について説明する。廃棄物収集支援装置１００は、上述のように、既存のサーバ装置等の情報処理装置を用いる。図２は、本実施の形態における廃棄物収集支援装置１００の構成要素を示す概略構成図である。
【００３２】
まず、廃棄物収集支援装置１００には、ＣＰＵ（ｃｅｎｔｒａｌ  ｐｒｏｃｅｓｓｉｎｇ  ｕｎｉｔ）１０１とメインメモリ（ＭＭ）１０２とから構成され、アプリケーションプログラムに基づいて処理を行う、演算処理部１０３が設けられている。
【００３３】
前記演算処理部１０３には、バス１０８を介して、記憶装置１０４が接続される。なお、記憶装置１０４には、通常はハードディスク装置等の大容量記憶媒体を用いる。
【００３４】
そして、前記記憶装置１０４には、本廃棄物収集支援装置１００が正常に機能するために必要なオペレーティングシステム（ＯＳ）がインストールされている。
【００３５】
また、前記記憶装置１０４内には、汎用のアプリケーションプログラムがインストールされている。
【００３６】
さらに、前記記憶装置１０４内には、本発明の廃棄物収集支援方法を実現するために作成された、コンピュータで実行可能な廃棄物収集支援プログラムがインストールされている。
【００３７】
これらのプログラムは、図示しないＣＤ−ＲＯＭ等の記憶媒体に格納されて本廃棄物収集支援装置１００に提供され、図２に示されるＣＤ−ＲＯＭドライブ装置１０９等を通じて、前記記憶装置１０４内に実行可能な状態でインストールされる。
【００３８】
そして、ＣＰＵ１０１が必要に応じて記憶装置１０４内の廃棄物収集支援プログラムをメインメモリ１０２にロード（読み込み）し、順次実行することによって、経路決定手段等の、本実施の形態における廃棄物収集支援装置を実現するための各種手段を備えている。
【００３９】
また、本廃棄物収集支援装置１００の演算処理部１０３には、バス１０８を介して入力手段及び出力手段が接続されている。以下に、廃棄物収集支援装置１００の入力手段及び出力手段の一例を挙げる。
【００４０】
まず、入力手段として、各種情報を入力するためのキーボード１０７、或いはマウス等のポインティングデバイスからなる、各種入力装置がバス１０８を介して演算処理部１０３に接続されている。
【００４１】
また、出力手段として、ディスプレイ１０６或いはプリンタ１０５等の出力装置が、バス１０８を介して演算処理部１０３に接続されている。
【００４２】
また、前記記憶装置１０４内には、本実施の形態のデータベースが設けられている。
【００４３】
前記データベース内に格納される情報の一例として、個々の廃棄物毎に関連付けられた廃棄物収集運搬業者情報、廃棄物情報、或いは地図情報等が挙げられる。
【００４４】
〈収集運搬経路決定処理〉
次に、本実施の形態に係る、収集運搬経路決定処理について、フローチャート及び実施例を挙げて説明する。
【００４５】
〈フローチャート〉
図３は、本実施の形態に係る、収集運搬経路決定処理を説明するフローチャートである。
【００４６】
まず、廃棄物収集支援装置１００は、廃棄物収集運搬業者端末３００から廃棄物収集運搬車両の収集収集開始位置情報及び収集終了位置情報を取得する（図３におけるステップ００１、以下Ｓ００１のように省略する）。
【００４７】
廃棄物収集支援装置１００は、収集する廃棄物に関する廃棄物情報を、排出事業者端末２００から取得する（Ｓ００２）。上記廃棄物情報としては、例えば、排出事業者名、排出事業者の位置情報（廃棄物位置情報）、契約している収集運搬業者名、収集する廃棄物の取扱量（重量情報）、取扱金額が挙げられる。
【００４８】
廃棄物収集支援装置１００は、取得した前記収集開始位置情報、前記収集終了位置情報、前記廃棄物位置情報、前記取扱量、前記取扱金額、及びデータベースに格納される地図情報に基づいて、収集運搬時に個々の廃棄物収集運搬車両の移動距離が最短となるように収集運搬経路を決定する（Ｓ００３）。このとき、廃棄物収集支援装置１００は、図７及び図１１に示すデータテーブル２０及びデータテーブル４０を生成する。このデータテーブル２０，４０には、排出事業者の位置情報及び地図情報から、収集する地点毎の移動距離が算出される。そして、このデータテーブル２０，４０に基づいて、廃棄物収集支援装置１００は、収集運搬経路を決定する。決定した収集運搬経路は、図５及び図６に示す地図情報５０，６０を生成する。
【００４９】
廃棄物収集支援装置１００は、生成した収集運搬経路を示す地図情報５０，６０を廃棄物収集運搬業者端末３００に送信する（Ｓ００４）。
【００５０】
〈実施例１〉
実施例１では、複数の廃棄物収集運搬業者において、廃棄物収集運搬車両の総重量、総取扱金額が予め定められた値となるようにして、最短の移動距離となる収集運搬経路を決定する、本収集運搬経路決定処理を行う。なお、本実施例１では、予め定められた総取扱金額として、廃棄物収集運搬業者間の取扱金額を同一にする。
【００５１】
図４は、本実施例１における、本収集運搬経路決定処理を行う前の廃棄物収集運搬業者による収集運搬経路を示す地図情報である。本実施例１では、廃棄物収集運搬業者Ａ社及びＢ社が、それぞれ廃棄物を３カ所から収集する。なお、本実施例１では、説明を簡略化するために、１ブロックの距離を１とする。また、本実施例１では、１社あたりの取引金額を１とする。この場合は、Ａ社、Ｂ社の総移動距離はともに１０で、取引金額はともに３である。
【００５２】
本処理を行う前の廃棄物収集運搬業者による収集運搬経路は、Ａ社の廃棄物収集運搬車両が、排出事業者Ａ１、Ａ２、及びＡ３を巡回する経路ＲＡ１を走行してＡ社に戻る。また、Ｂ社の収集運搬経路は、廃棄物収集運搬車両が排出事業者Ｂ１、Ｂ２、及びＢ３を巡回する経路ＲＢ１を走行してＢ社に戻る。
【００５３】
図５は、本収集運搬経路決定処理を行った後の実施例１の廃棄物収集運搬業者による収集運搬経路を示す地図情報５０である。地図情報５０によれば、Ａ社の収集運搬経路ＲＡ２は、Ａ社、Ａ１、Ａ２、Ｂ１、及びＡ社となる。また同様に地図情報５０によれば、Ｂ社の収集運搬経路ＲＢ２は、Ｂ社、Ｂ３、Ｂ２、Ａ３、及びＢ社となる。なお、各社の総取引金額は、ともに３である。そして、各社の総移動距離は８となる。従って、本収集運搬経路決定処理を行うことによって、取引金額を変えることなく、配送の効率化を図ることができる。
【００５４】
図６は、本収集運搬経路決定処理前における、各社の移動距離や取引の数量を示す廃棄物情報のデータテーブル１０を示す。また、図７は、本収集運搬経路決定処理後の廃棄物情報のデータテーブル２０を示す。データテーブル１０，２０によれば、本収集運搬経路決定処理を行うことで、Ａ社及びＢ社それぞれの処理前の移動距離１１ａ，１１ｂが、処理後の移動距離２１ａ，２１ｂに減少していることが分かる。
【００５５】
なお、本実施例１は、説明を簡略化するために、取引金額、及び取引金額の増減は発生しない。実際の事例では、本廃棄物収集支援装置１００は、一定期間で総取扱金額及び総重量の変化がないように調整することもできる。また、本廃棄物収集支援装置１００は、所定の数値、或いは所定の数値の範囲内に各廃棄物収集運搬車両の総重量及び総取扱金額の差分を収めるといった、予め定められた値で総重量及び総取扱金額を調整することも可能となる。
【００５６】
〈実施例２〉
実施例２では、複数の廃棄物収集運搬業者において、各排出事業者で搬送先が異なる荷物が発生する場合の本収集運搬経路決定処理を示す。本実施例２では、廃棄物Ｘを廃棄物処理業者Ｃ社が処理し、廃棄物Ｙを廃棄物処理業者Ｄ社が処理する。
【００５７】
図８は、実施例２における、本収集運搬経路決定処理を行う前の廃棄物収集運搬車両の収集運搬経路を示す地図情報である。また、図１１は、本処理を行う前の各社の廃棄物情報のデータテーブル３０を示す。
【００５８】
廃棄物収集運搬業者Ａ社の廃棄物収集運搬経路ＲＡ３は以下のようになる。まず、Ａ社の廃棄物収集運搬車両は、排出事業者Ａ１からＡ２を巡回する。そして、Ａ社の廃棄物収集運搬車両は、ＹをＤ社に配送し、ＸをＣ社に配送する。廃棄物処理業者に廃棄物を配送した上記廃棄物収集運搬車両は、Ａ社に戻る。
【００５９】
また、Ｂ社の廃棄物収集運搬経路ＲＢ３は、以下のようになる。まず、Ｂ社の廃棄物収集運搬車両は、排出事業者Ｂ１からＢ２及びＢ３を巡回する。そして、Ｂ社の廃棄物収集運搬車両は、ＸをＣ社に配送し、ＹをＤ社に配送する。廃棄物処理業者に廃棄物を配送した上記廃棄物収集運搬車両は、Ｂ社に戻る。上記の場合における廃棄物収集運搬車両の移動距離は、データテーブル３０に示すように、Ａ社が２０、Ｂ社が１６となる。
【００６０】
上記経路について、本収集運搬経路決定処理を行う場合には、以下の方法が考えられる。
【００６１】
第１の方法は、Ａ社の廃棄物収集運搬車両によって、全ての廃棄物を回収し、ＸをＣ社に配送し、ＹをＤ社に配送する。そして、Ａ社及びＢ社は、その委託手数料を分配する。
【００６２】
第２の方法は、Ａ社がＸのみを単品で回収しＣ社に配送し、Ｂ社はＹのみを単品で回収しＤ社に配送する。
【００６３】
第１の方法の場合、Ａ社の移動距離は１６、Ｂ社の移動距離は０となる。また、第２の方法の場合、Ａ社の移動距離は１６、Ｂ社の移動距離は１４となる。
図９は、実施例２における、第２の方法による本収集運搬経路決定処理を行った後の廃棄物収集運搬車両の収集運搬経路を示す地図情報６０である。また、図１１は、本処理を行った後の各社の廃棄物情報のデータテーブル４０を示す。
地図情報６０及びデータテーブル４０によれば、Ａ社及びＢ社の廃棄物収集運搬車両の収集運搬経路および移動距離は、以下のようになる。Ａ社の廃棄物収集運搬車両は、収集運搬経路ＲＡ４を走行する。経路ＲＡ４では、廃棄物収集運搬車両はＡ社を出発後、Ｂ１、Ａ２、Ｂ２、及びＡ１を経由して廃棄物Ｘのみを回収する。そして、廃棄物収集運搬車両は、ＸをＣ社に配送してＡ社に戻る。Ｂ社の廃棄物収集運搬車両は、収集運搬経路ＲＢ４を走行する。経路ＲＢ４では、廃棄物収集運搬車両はＢ社を出発後、Ｂ１、Ａ２、Ｂ２、及びＡ１を経由して廃棄物Ｙのみを回収する。そして、廃棄物収集運搬車両は、ＹをＤ社に配送してＢ社に戻る。
【００６４】
地図情報６０及びデータテーブル４０を参照すると、本収集運搬経路決定処理によれば、廃棄物収集運搬車両の移動距離を減少させて廃棄物収集運搬作業を効率的に行うことができることが分かる。
【００６５】
〈実施の形態の効果〉
本実施の形態に係る廃棄物収集支援方法を実現することにより、以下のような効果が得られる。
【００６６】
本実施の形態に係る収集運搬経路決定処理によれば、廃棄物収集運搬車両に適切な収集運搬経路を提供できるため、車両の燃料の節約等の経済的効果及び環境面の効果が得られる。
【００６７】
また、本収集運搬経路決定処理によれば、廃棄物収集運搬車両が不要な経路を走行することがないため、周辺道路の渋滞軽減等の効果が得られる。
【００６８】
〈変形例〉
本実施の形態において、本発明の廃棄物収集支援方法は、主に上記の実施例について説明したが、本発明ではこれに限らず、その他の廃棄物収集支援方法に対して広く実施することができる。
【００６９】
本実施の形態では、本廃棄物収集支援装置１００には、これらの入力手段及び出力手段は、本実施の形態の装置構成に限定されるものではない。
【００７０】
例えば、本廃棄物収集支援装置１００には、入力手段及び出力手段を備えずに、排出事業者端末２００等からネットワークを介して入出力を行うようであってもよい。
【００７１】
また、例えば、廃棄物収集運搬業者端末３００で用いる携帯電話機等の携帯情報端末は、画像撮影機能及びＧＰＳ情報取得機能を有したものでなく、これらの機能を有する装置を通常の携帯電話機に接続して用いてもよい。
【００７２】
また、例えば、本実施の形態において、廃棄物収集支援装置１００と排出事業者端末２００との機能を、単一の装置にて実現してもよい。
【００７３】
また、実施例１の場合、Ａ社からの巡回ルートに、配送センターが加わる場合も同様に最適化を図ることができる。
【００７４】
なお、本発明の廃棄物収集支援方法は、事業者が排出する廃棄物に限定されず、例えば、一般の個人の廃棄物収集に対して適用してもよい。
【００７５】
【発明の効果】
本発明の廃棄物収集支援方法によれば、複数の廃棄物収集運搬業者に対して、効率的な収集を支援する技術を提供するという優れた効果を得ることができる。
【図面の簡単な説明】
【図１】本発明の実施の形態に係る、ネットワークの構成図である。
【図２】本実施の形態に係る、廃棄物収集支援装置の概略構成図である。
【図３】本実施の形態に係る、廃棄物の収集運搬経路決定処理のフローチャートである。
【図４】本実施の形態に係る、収集運搬経路決定処理を行う前の地図情報の一例である。
【図５】本実施の形態に係る、収集運搬経路決定処理を行った後の地図情報の一例である。
【図６】本実施の形態に係る、収集運搬経路決定処理を行う前のデータテーブルである。
【図７】本実施の形態に係る、収集運搬経路決定処理を行った後のデータテーブルである。
【図８】本実施の形態に係る、廃棄物毎に収集運搬経路決定処理を行う前の地図情報の一例である。
【図９】本実施の形態に係る、廃棄物毎に収集運搬経路決定処理を行った後の地図情報の一例である。
【図１０】本実施の形態に係る、廃棄物毎に収集運搬経路決定処理を行う前のデータテーブルである。
【図１１】本実施の形態に係る、廃棄物毎に収集運搬経路決定処理を行った後のデータテーブルである。
【符号の説明】
１０      データテーブル
１１ａ  総移動距離
２０      データテーブル
２１ａ  総移動距離
３０      データテーブル
４０      データテーブル
５０      地図情報
６０      地図情報
１００  廃棄物収集支援装置
１０１  ＣＰＵ
１０２  メインメモリ
１０３  演算処理部
１０４  記憶装置
１０５  プリンタ
１０６  ディスプレイ
１０７  キーボード
１０８  バス
１０９  ＣＤ−ＲＯＭドライブ装置
２００  排出事業者端末
３００  廃棄物収集運搬業者端末
３０１  廃棄物収集運搬車両
４００  ネットワーク
【図１】
2004299903.tif 000003
【図２】
2004299903.tif 000004
【図３】
2004299903.tif 000005
【図４】
2004299903.tif 000006
【図５】
2004299903.tif 000007
【図６】
2004299903.tif 000008
【図７】
2004299903.tif 000009
【図８】
2004299903.tif 000010
【図９】
2004299903.tif 000011
【図１０】
2004299903.tif 000012
【図１１】
2004299903.tif 000013